(57)【要約】【課題】書画カメラによって撮像された画像を、画像表示装置に表示させる際のユーザーの操作性を向上させる書画カメラおよび画像表示システムを提供すること。【解決手段】プロジェクター２００に画像データを送信させるための表示開始指示信号および、プロジェクター２００への画像データの送信を一時的に停止させる一時停止指示信号を出力する操作部１０５と、表示開始指示信号が入力されると、書画カメラ１００から送信された画像データを表示させる表示要求信号をプロジェクター２００に出力し、一時停止指示信号が入力されると、一時停止時画像データをプロジェクター２００に出力すると共に、書画カメラ１００から送信された画像データの表示を一時的に停止させる一時停止要求信号をプロジェクター２００に出力する制御部１０１と、を備えることを特徴とする。【選択図】図２
2010193167.tif 000002
【特許請求の範囲】
【請求項１】
入力される画像データに基づく画像を表示する画像表示装置と通信可能に接続される書画カメラであって、
被写体を撮像して画像データを生成する撮像部と、
前記撮像部によって生成された前記画像データ及び前記画像表示装置に対して画像表示を制御する制御信号を前記画像表示装置に出力するデータ出力部と、
ユーザーによって操作され、前記書画カメラから出力される前記画像データを前記画像表示装置に表示させる表示開始指示信号と、前記書画カメラから出力される前記画像データの表示を一時的に停止させる一時停止指示信号を出力する出力する操作部と、
前記操作部から前記表示開始指示信号が入力されると、前記書画カメラから入力された前記画像データを前記画像表示装置に表示させる表示要求信号を前記データ出力部に出力し、前記操作部から前記一時停止指示信号が入力されると、前記一時停止指示信号が出力された際に前記撮像部によって撮像された前記画像データを一時停止時画像データとして前記データ出力部に出力すると共に、前記書画カメラから出力される前記画像データの表示を一時的に停止させる一時停止要求信号を前記データ出力部に出力する制御部と
を備えることを特徴とする書画カメラ。
【請求項２】
前記制御部は、
前記書画カメラに設けられる記憶部、あるいは前記画像表示装置に設けられる記憶部のいずれか一方に、前記一時停止時画像データを記憶させることを特徴とする請求項１に記載の書画カメラ。
【請求項３】
入力される画像データに基づく画像を表示する画像表示装置と通信可能に接続される書画カメラとを含む画像表示システムであって、
前記書画カメラは、
被写体を撮像して画像データを生成する撮像部と、
前記撮像部によって生成された画像データ及び前記画像表示装置に対して画像表示を制御する制御信号を前記画像表示装置に出力するデータ出力部と、
ユーザーによって操作され、前記書画カメラから出力される前記画像データを前記画像表示装置に表示させる表示開始指示信号と、前記書画カメラから出力される前記画像データの表示を一時的に停止させる一時停止指示信号を出力する第１の操作部と、
前記第１の操作部から前記表示開始指示信号が入力されると、前記書画カメラから入力された前記画像データを前記画像表示装置に表示させる表示要求信号を前記データ出力部に出力し、前記第１の操作部から前記一時停止指示信号が入力されると、前記一時停止指示信号が出力された際に前記撮像部によって撮像された前記画像データを一時停止時データとして前記データ出力部に出力すると共に、前記書画カメラから出力される前記画像データの表示を一時的に停止させる一時停止要求信号を前記データ出力部に出力する第１の制御部とを備え、
前記画像表示装置は、
前記書画カメラから受信する前記画像データ、前記表示要求信号、前記一時停止要求信号、および前記一時停止時画像データを受信する外部機器接続部と、
前記外部機器接続部を介して、前記書画カメラから入力される前記画像データおよび前記一時停止時データに基づく画像を出力する出力部と、
前記表示要求信号を受信した場合、前記書画カメラから受信する前記画像データに基づく画像を前記出力部に出力させ、前記一時停止要求信号を受信した場合、前記一時停止時画像データを前記出力部に出力させる第２の制御部と
を備えることを特徴とする画像表示システム。
【請求項４】
前記画像表示装置は、
任意の画像データを送信する画像供給装置と通信可能に接続され、
前記第２の制御部は、
前記書画カメラから受信する前記一時停止時画像データを前記出力部が出力している状態において、前記画像供給装置から受信する前記画像データを前記出力部に出力させる指示を受けた場合、前記一時停止時画像データの前記出力部への出力を解除し、前記画像供給装置から受信する前記画像データを前記出力部に出力させることを特徴とする請求項３に記載の画像表示システム。
【請求項５】
前記画像表示装置は、
ユーザーによって操作され、操作に応じた指示信号を出力する第２の操作部をさらに備え、
前記第２の制御部は、
前記第２の操作部を介して、前記画像供給装置から受信する前記画像データを前記出力部に出力させる指示を受けた場合、あるいは、前記画像供給装置から前記画像データを前記出力部に出力させる指示を受けた場合に、前記一時停止時画像データの前記出力部への出力を停止させる
ことを特徴とする請求項４に記載の画像表示システム。
【発明の詳細な説明】
【技術分野】
【０００１】
本発明は、主に、書類等を撮像する書画カメラ、この書画カメラから出力される画像データに基づく画像を表示する画像表示装置を含む画像表示システムに関する。
【背景技術】
【０００２】
書画カメラは、例えば、書類等の被写体が載置される載置台と、この載置台に載置された被写体を撮像する撮像部とを有し、通信可能に接続されているプロジェクター等の画像表示装置に、撮像部によって得られている現在の画像データを送信する。
このような書画カメラは、プレゼンテーション等において利用され、プロジェクターは、書画カメラによって撮像された画像や、プロジェクターと接続されているパーソナルコンピューター等から出力された画像を、スクリーン等に表示する。この場合、発表者は、書画カメラやパーソナルコンピューターの付近で、プロジェクターによって表示される画像を指し示しながら発表を行う場合が多い。
例えば、リモコン受信部を備えるプロジェクターに対して、書画カメラから入力されるデータと、パソコン等の外部情報機器から入力されるデータを合成するリモコン信号を送信し、プロジェクターに、書画カメラからのデータとパーソナルコンピューター等からのデータを、同時にスクリーン等に表示させるものがある（例えば、特許文献１参照）。
【先行技術文献】
【特許文献】
【０００３】
【特許文献１】特開２０００−１０１８９号公報
【発明の概要】
【発明が解決しようとする課題】
【０００４】
しかしながら、画像表示装置に表示される画像データを供給するソース（書画カメラあるいはパーソナルコンピューター等の画像供給装置）をリモコン操作で選択する場合、発表者は、発表をしながら、プロジェクター等にリモコンを向けて、指定の操作キーを押下しなければならないため、操作が煩雑となり、円滑なプレゼンテーションができない場合があった。
また、書画カメラによって撮像された画像が、リアルタイムにてプロジェクターに送信され動画として表示されている場合、書画カメラに書類等の被写体を配置させる作業中の操作者の手元や、差し替えの書類がスクリーンに写し出され、ユーザーが見せたくないと思っているものであっても書画カメラに映ってしまう問題があった。
【０００５】
本発明は、このような事情を考慮し、上記の問題を解決すべくなされたものであって、その目的は、書画カメラによって撮像された画像を、画像表示装置に表示させる際のユーザーの操作性を向上させる書画カメラおよび画像表示システムを提供することにある。
【課題を解決するための手段】
【０００６】
上記問題を解決するために、本発明は、入力される画像データに基づく画像を表示する画像表示装置と通信可能に接続される書画カメラであって、被写体を撮像して画像データを生成する撮像部と、前記撮像部によって生成された前記画像データ及び前記画像表示装置に対して画像表示を制御する制御信号を前記画像表示装置に出力するデータ出力部と、ユーザーによって操作され、前記書画カメラから出力される前記画像データを前記画像表示装置に表示させる表示開始指示信号と、前記書画カメラから出力される前記画像データの表示を一時的に停止させる一時停止指示信号を出力する操作部と、前記操作部から前記表示開始指示信号が入力されると、前記書画カメラから入力された前記画像データを前記画像表示装置に表示させる表示要求信号を前記データ出力部に出力し、前記操作部から前記一時停止指示信号が入力されると、前記一時停止指示信号が出力された際に前記撮像部によって撮像された前記画像データを一時停止時画像データとして前記データ出力部に出力すると共に、前記書画カメラから出力される前記画像データの表示を一時的に停止させる一時停止要求信号を前記データ出力部に出力する制御部とを備えることを特徴とする。
これにより、書画カメラの近傍で、撮像部に撮像される書類等を操作しながらプレゼンテーションを行う発表者は、発表をしながら、プロジェクター等にリモコンを向けて、指定の操作キーを押下する等の操作が不要となり、ユーザーの操作性を向上させることができる。
【０００７】
また、画像表示装置は、一時停止時において、一時停止時画像データを表示することができ、書画カメラに書類等を配置させたり、差し替える等の操作者の手元が撮像部によって撮像され、画像表示装置に表示されることがなくなる。よって、ユーザーは、書画カメラの操作部を介して画像表示装置に一時停止要求信号を送信させることによって、ユーザーが見せたくないと思っている画像を画像表示装置によって表示させないようにすることができる。さらに、細かい電子部品や、昆虫等の動くものを書画カメラによって撮像し、画像表示装置に表示させたい場合、書画カメラから送信される画像データを一時停止時画像データとして送信し、停止画像としてプロジェクターに表示することができる。
【０００８】
また、本発明にかかる画像表示システムは、入力される画像データに基づく画像を表示する画像表示装置と通信可能に接続される書画カメラとを含む画像表示システムであって、前記書画カメラは、被写体を撮像して画像データを生成する撮像部と、前記撮像部によって生成された画像データ及び前記画像表示装置に対して画像表示を制御する制御信号を前記画像表示装置に出力するデータ出力部と、ユーザーによって操作され、前記書画カメラから出力される前記画像データを前記画像表示装置に表示させる表示開始指示信号と、前記書画カメラから出力される前記画像データの表示を一時的に停止させる一時停止指示信号を出力する第１の操作部と、前記第１の操作部から前記表示開始指示信号が入力されると、前記書画カメラから入力された前記画像データを前記画像表示装置に表示させる表示要求信号を前記データ出力部に出力し、前記第１の操作部から前記一時停止指示信号が入力されると、前記一時停止指示信号が出力された際に前記撮像部によって撮像された前記画像データを一時停止時データとして前記データ出力部に出力すると共に、前記書画カメラから出力される前記画像データの表示を一時的に停止させる一時停止要求信号を前記データ出力部に出力する第１の制御部とを備え、前記画像表示装置は、前記書画カメラから受信する前記画像データ、前記表示要求信号、前記一時停止要求信号、および前記一時停止時画像データを受信する外部機器接続部と、前記外部機器接続部を介して、前記書画カメラから入力される前記画像データおよび前記一時停止時データに基づく画像を出力する出力部と、前記表示要求信号を受信した場合、前記書画カメラから受信する前記画像データに基づく画像を前記出力部に出力させ、前記一時停止要求信号を受信した場合、前記一時停止時画像データを前記出力部に出力させる第２の制御部とを備えることを特徴とする。
【図面の簡単な説明】
【０００９】
【図１】本実施の形態に係る画像表示システムの構成の一例を説明するための概略図である。
【図２】本実施の形態に係る画像供給装置と画像表示装置の構成の一例を説明するための概略図である。
【図３】本実施の形態に係る画像表示システムによる表示方法の一例について示すフローチャートである。
【発明を実施するための形態】
【００１０】
次に、発明を実施するための形態について図面を参照して詳細に説明する。図１は、本実施の形態に係る画像表示システムの構成の一例を説明するための概略図である。
［第１の実施形態］
図１に示す通り、本実施の形態に係る画像表示システムは、書画カメラ１００と、画像表示装置としてプロジェクター２００を有する。また、画像表示システムは、書画カメラ１００とプロジェクター２００との通信を確保する手段として、例えば、書画カメラ１００とプロジェクター２００とを接続するＵＳＢケーブル３００をさらに備える。また、プロジェクター２００は、画像供給装置としてノート型パーソナルコンピューター（以下、ノートＰＣと言う）４００と通信可能に接続されており、例えば、ＵＳＢケーブル３１０を介して接続されている。
書画カメラ１００およびノートＰＣ４００は、ＵＳＢケーブル３００、３１０を介して、プロジェクター２００に画像データを送信し、画像データを受信したプロジェクター２００は、画像データに応じた画像光を任意のスクリーンに投影させ、画像を表示する。
なお、書画カメラ１００およびノートＰＣ４００とプロジェクター２００間で通信されるデータとして、以下画像データを例に説明するが、本発明はこれに限られず、例えば、画像データと音声データを含むもの、音声データのみのもの等であってもよい。
【００１１】
図２は、画像表示システムの構成の一例をより詳細に示すブロック図である。
図２に示す通り、書画カメラ１００は、制御部（第１の制御部）１０１と、撮像部１０２と、メモリー部１０３と、画像出力部（データ出力部）１０４と、操作部１０５とを備える。
制御部１０１は、例えば、撮像部１０２によって生成される画像データを、画像出力部１０４を介してプロジェクター２００に送信する。また、制御部１０１は、撮像部１０２によって生成された画像データをメモリー部１０３に記憶させる。さらに、制御部１０１は、プロジェクター２００を制御するコマンドを送信する。このコマンドは、操作部１０５から入力される指示信号に応じたコマンド、例えば、プロジェクター２００に対して書画カメラ１００から送信された画像データを表示させるコマンド（表示要求信号）であり、プロジェクター２００に対して書画カメラ１００から送信された画像データの表示を一時的に停止させるコマンド（一時停止要求信号）である。また、制御部１０１は、画像データの表示を一時的に停止させるために操作部１０５から一時停止指示信号が入力された際に、撮像部１０２によって撮像された画像データを一時停止時画像データとしてプロジェクター２００に送信する。制御部１０１は、一時停止時画像データをプロジェクター２００に送信した後は、撮像部１０２によって撮像された画像をプロジェクター２００に送信することを停止させる。
【００１２】
撮像部１０２は、載置台（図示せず）に載置された書類等の被写体をレンズ、ＣＣＤ等の撮像素子によって撮像し、撮像結果に応じた画像データを生成する。
メモリー部１０３は、例えば、制御部１０１等に任意の機能を発揮させるための様々な制御プログラムや、撮像部１０２によって撮像された画像データを保存する。メモリー部１０３は、例えば、操作部１０５がユーザーによって操作され、画像データの表示を一時的に停止させるための一時停止指示信号が制御部１０１に入力された場合、この時、撮像部１０２によって撮像された画像データを一時停止時画像データとして記憶する。
画像出力部１０４は、例えば、ＵＳＢケーブル３００を介してプロジェクター２００と接続され、プロジェクター２００とデータ通信を行う。
【００１３】
操作部１０５は、ユーザーによって操作され、ユーザーからの指示が入力される入力部であって、操作に応じた指示信号を出力する。操作部１０５は、例えば、プロジェクター２００に対しての書画カメラ１００から受信した画像データを表示させる表示ボタンと、プロジェクター２００に対して書画カメラ１００から受信して表示された画像データを一時的に停止させる一時停止ボタンとを含む。
操作部１０５は、表示ボタンがユーザーによって押下されると、操作部１０５は、プロジェクター２００への画像データの送信を開始させる指示信号である表示開始指示信号を制御部１０１に出力する。操作部１０５は、書画カメラ１００からプロジェクター２００に画像データが送信されている場合に、ユーザーによって一時停止ボタンが押下されると、プロジェクター２００への画像データの送信を一時的に停止させる一時停止指示信号を制御部１０１に出力する。
なお本実施形態の操作部は、表示ボタンと一時停止ボタンの2つを備えているが、それらの機能を1つのボタンで兼用するようにしてもよい。すなわち、ボタンを押すごとに表示開始指示信号と一時停止指示信号を交互に出力するようにしてもよい。
【００１４】
次にプロジェクター２００について説明する。
プロジェクター２００は、画像表示部（出力部）２０１と、カード挿入部２０２と、メモリー部２０３と、外部機器接続部（画像入力部）２０４と、制御部（第２の制御部）２０５と、画像処理部２０６と、操作部２０７と、記憶装置２０８とを備える。
なお、プロジェクター２００は、例えば、書画カメラ１００やノートＰＣ４００から入力された画像データをハードウェアで復号化し、再生する、いわゆるハードウェアデコードによって画像を表示する構成を有する。
【００１５】
画像表示部２０１は、書画カメラ１００およびノートＰＣ４００から受信する画像データに基づき、例えば、光変調素子によって変調された変調光を出射し、スクリーン等に拡大投写する。
カード挿入部２０２は、着脱自在の外部カードメモリー等が接続されるインターフェイスであって、例えば、外部カードメモリー等に記憶されている画像データやプログラム等の情報を読み出す。
【００１６】
メモリー部２０３は、制御部２０５や画像処理部２０６等に任意の機能を発揮させるための様々な制御プログラムや、画像処理部２０６によってデコードされた画像データを保持するデータ保存領域を含む。メモリー部２０３は、例えば、書画カメラ１００から受信したコマンドに基づき、書画カメラ１００から送信された画像データに基づく画像を画像表示部２０１に表示させるファームウェア等を記憶する。また、メモリー部２０３は、例えば、書画カメラ１００の操作部１０５がユーザーによって操作され、書画カメラ１００から一時停止要求信号が入力された場合、書画カメラ１００から入力された一時停止時画像データとしての画像データを記憶する。
【００１７】
外部機器接続部２０４は、ＵＳＢケーブル３００を介して接続される書画カメラ１００からデータやコマンドを受信し、制御部２０５に出力する。外部機器接続部２０４は、例えば、撮像部によって生成された画像データ、書画カメラ１００の制御部１０１によって生成された表示要求信号および一時停止要求信号、および書画カメラ１００から出力される一時停止時画像データを受信する。
また、外部機器接続部２０４は、複数のインターフェイスを含み、例えば、ＵＳＢケーブル３００を介して書画カメラ１００と通信可能に接続されるＵＳＢインターフェイスと、ＵＳＢケーブル３１０を介してノートＰＣ４００と通信可能に接続されるＵＳＢインターフェイスとを含む。
【００１８】
制御部２０５は、プロジェクター２００を統括的に制御し、例えば、書画カメラ１００から受信した画像データ、および、ノートＰＣ４００から受信した画像データを、画像処理部２０６に対して画像処理させる。また、制御部２０５は、書画カメラ１００から表示要求信号を受信し、書画カメラ１００から受信した画像データを画像処理部２０６に画像処理させ、画像表示部２０１に当該画像データに基づく画像を表示させる。このように書画カメラ１００から受信した画像データに基づく画像を表示している状態において、プロジェクター２００に、書画カメラ１００から出力された一時停止要求信号と、一時停止時画像データが入力された場合、制御部２０５は、一時停止時画像データを画像表示部２０１に表示させる。
【００１９】
また、制御部２０５は、一時停止要求信号を受信し、一時停止時画像データを画像表示部２０１に表示している状態において、ノートＰＣ４００から受信した画像データを画像表示部２０１に表示させる指示信号をノートＰＣ４００から受信した場合、ノートＰＣ４００から受信した画像データを書画カメラ１００の一時停止時画像データに優先して表示する。すなわち、制御部２０５は、ノートＰＣ４００あるいは操作部２０７から、ノートＰＣ４００から供給される画像データを表示する指示が入力された場合、書画カメラ１００から受信した一時停止時画像データによる表示を終了し、ノートＰＣ４００から供給される画像データを画像表示部２０１に表示するよう画像処理部２０６および画像表示部２０１を制御する。
【００２０】
画像処理部２０６は、外部機器接続部２０４を介して、書画カメラ１００およびノートＰＣ４００から受信した画像データに対して、画像表示部２０１に応じたデータに変換する（デコードする）データ変換処理を行う。また、画像処理部２０６は、データ変換処理をした画像データをメモリー部２０３に一時的に保存する。画像表示部２０１は、メモリー部２０３に保存されている画像データを読み出し、表示する。
【００２１】
操作部２０７は、ユーザーによって操作され、ユーザーからの指示が入力される入力部であって、操作に応じた指示信号を出力する。操作部２０７は、例えば、プロジェクター２００の起動およびシャットダウンを指示するための電源ボタンや、画像信号を供給する画像供給装置や書画カメラ１００を検索するための映像検索ボタン、所望の画像供給装置あるいは書画カメラ１００を選択するためのソース選択ボタン等を含む。
記憶装置２０８は、例えば、ＥＰＲＯＭ（ Erasable Programmable ROM ）やＥＥＲＯＭ（ Electrically Erasable ROM ）等の不揮発性メモリーであって、例えば、プロジェクター２００の設定情報等を保持する。
【００２２】
次に、ノートＰＣ４００について説明する。
ノートＰＣ４００は、制御部４０１と、画像出力部４０２と、メモリー部４０３と、操作部４０４を備える。
画像出力部４０２は、例えば、ＵＳＢケーブル３１０を介してプロジェクター２００と接続され、プロジェクター２００とデータ通信を行う。
メモリー部４０３は、制御部４０１や映像出力部４０２に任意の機能を発揮させるための様々な制御プログラムや、映像出力部４０２を介してプロジェクター２００に出力される画像データ等を記憶している。
操作部４０４は、ユーザーによって操作され、ユーザーからの指示が入力される入力部であって、例えば、キーボード、マウス等である。
【００２３】
制御部４０１は、画像出力部４０２とプロジェクター２００とがＵＳＢケーブル３１０を介して接続された状態で、例えば、操作部４０４を介して、メモリー部４０３に記憶されている画像データをプロジェクター２００に送信する指示がユーザーによって入力された場合、メモリー部４０３から読み出した画像データを、プロジェクター２００に送信する。
【００２４】
次に、本実施の形態に係る画像表示システムのデータ表示方法の一例について説明する。図３は、本実施の形態に係る画像表示システムのデータ表示方法の一例を示すフローチャートである。
書画カメラ１００の操作部１０５のうち表示ボタンが押下され、書画カメラ１００から出力される画像データをプロジェクター２００に表示させる指示がユーザーから入力されると（ステップＳＴ１）、書画カメラ１００の操作部１０５は、表示開始指示信号を制御部１０１に出力する。表示開始指示信号が出力されると、制御部１０１は、プロジェクター２００に表示要求信号を送信すると共に、書画カメラ１００の撮像部１０２によって撮像された画像の画像データを画像出力部１０４を介してプロジェクター２００に送信する（ステップＳＴ２）。
書画カメラ１００から表示要求信号および画像データを、ＵＳＢケーブル３００を介して受信すると、外部機器接続部２０４は、制御部２０５に表示要求信号を、画像処理部２０６に画像データを、それぞれ出力する。表示要求信号が入力された制御部２０５は、画像処理部２０６に対して、書画カメラ１００から入力された画像データを画像処理するよう制御する。像画像処理部２０６は、画像処理をした画像データを画像表示部２０１に表示する（ステップＳＴ３）。
【００２５】
このようにして、書画カメラ１００から出力された画像データに基づく画像が、プロジェクター２００によって表示されている状態において、書画カメラ１００の操作部１０５の一時停止ボタンが押下され、プロジェクター２００に表示されている書画カメラ１００から出力される画像データを一時停止させる指示が入力されると（ステップＳＴ４−ＹＥＳ）、操作部１０５は、一時停止指示信号を制御部１０１に出力する。一時停止指示信号が出力されると、制御部１０１は、プロジェクター２００に一時停止要求信号を送信すると共に、一時停止指示信号が制御部１０１に入力された際に撮像部１０によって撮像された画像の画像データを一時停止時画像データとして、画像出力部１０４を介してプロジェクター２００に送信する（ステップＳＴ５）。
書画カメラ１００から一時停止要求信号および一時停止時画像データを、ＵＳＢケーブル３００を介して受信すると、外部機器接続部２０４は、制御部２０５に一時停止要求信号を、画像処理部２０６に一時停止時画像データを、それぞれ出力する。一時停止要求信号が入力された制御部２０５は、画像処理部２０６に対して、書画カメラ１００から入力された一時停止時画像データを画像処理するよう制御する。画像処理部２０６は、画像処理をした画像データを画像表示部２０１に表示する（ステップＳＴ７）。
【００２６】
この状態において、ノートＰＣ４００の操作部４０４を介して、ユノートＰＣ４００から出力される画像データに基づく画像をプロジェクター２００において表示させる指示がユーザーからプロジェクター２００に入力された場合（ステップＳＴ８−ＹＥＳ）、書画カメラ１００から供給される画像データの画像表示部２０１への表示を停止させる（ステップＳＴ９）。次いで、プロジェクター２００は、ノートＰＣ４００から受信した画像データを画像処理部２０６によって画像処理し、画像表示部２０１に表示させる（ステップＳＴ１０）。
【００２７】
上述の通り、本実施の形態に係る書画カメラ１００は、書画カメラ１００に設けられている操作部１０５に入力される指示に応じて、書画カメラ１００で撮像された画像データをプロジェクター２００に表示し、さらに、ユーザーからの指示に応じて表示されている画像を一時的に停止することができる。これにより、書画カメラ１００の近傍で、撮像部１０２に撮像される書類等を操作しながらプレゼンテーションを行う発表者は、書画カメラ１００において操作すればよいため、プロジェクター２００に設けられている操作部（例えば、ソース選択ボタン）２０７の操作が不要となる。これにより、ユーザーの操作性を向上させることができる。
また、本実施の形態に係る書画カメラ１００は、プロジェクター２００に対して一時停止要求信号を送信するとともに、一時停止時にプロジェクター２００によって表示される一時停止時画像データを送信する。これにより、プロジェクター２００は、一時停止時において、一時停止時画像データを表示することができ、書画カメラ１００に書類等を配置させたり、差し替える等の操作者の手元が撮像部１０２によって撮像されても、一時停止時画像データが表示されるので、差し替え中のユーザーの動作がプロジェクター２００に表示されることがなくなる。よって、ユーザーは、書画カメラ１００の操作部１０５を介してプロジェクター２００に一時停止要求信号を送信させることによって、ユーザーが見せなくないと思っている画像をプロジェクター２００によって表示させないよう、操作することができる。
【００２８】
さらに、細かい電子部品や、昆虫等の動くものを書画カメラ１００によって撮像し、プロジェクター２００に表示させたい場合、書画カメラ１００から送信される画像データを一時停止時画像データとして送信し、停止画像としてプロジェクター２００に表示することができる。これにより、撮像部１０２によって撮像された一瞬の画像をプロジェクター２００に一時停止した状態で表示させることができる。この場合、操作部１０２を介して表示開始要求信号をプロジェクター２００に送信することで、一時停止を解除して書画カメラ１００によって撮像される画像データをリアルタイムにてプロジェクター２００で表示することができる。
また、本実施の形態に係る画像表示システムは、プロジェクター２００が一時停止時画像データを表示している状態において、ノートＰＣ４００から出力される画像データを表示するよう、操作部２０７を介して操作された場合、プロジェクター２００は、一時停止状態を解除して、ノートＰＣ４００から出力される画像データを画像表示部２０１によって表示することができる。これにより、書画カメラ１００を操作する必要がないので、ノートＰＣ４００の付近でノートＰＣ４００を操作しているユーザーの操作性を向上させることができる。
【００２９】
なお、本実施の形態における画像表示システムはこれに限られず、例えば、ノートＰＣ４００からの指示によりプロジェクター２００に対しての書画カメラ１００からの一時停止の要求が解除された後、ノートＰＣ４００の画像データの表示がなされている状態で、書画カメラ１００から表示要求信号が入力された場合、プロジェクター２００は、ノートＰＣ４００から入力される画像データの表示を停止し、書画カメラ１００から入力される画像データを表示することができる。
また、本実施の形態に係る書画カメラ１００は、操作部１０５を介して、書画カメラ１００から送信される画像データに基づく画像をプロジェクター２００に表示させ、あるいは一時停止させる表示要求信号あるいは一時停止要求信号を送信する例を用いて説明したが、本発明はこれに限られず、例えば、ノートＰＣ４００からプロジェクター２００に送信される画像データに基づく画像をプロジェクター２００に表示させる表示要求信号を送信するものであってもよい。さらに、書画カメラ１００は、ノートＰＣ４００だけでなく、他の画像供給装置（例えば、ゲーム機器や、携帯電話端末、ＤＶＤ再生装置、無線通信で接続される映像信号供給装置等）から送信される動画、静止画、音声、あるいはこれらの組み合わせをプロジェクター２００に表示させる表示要求信号を送信するものであってもよい。
【００３０】
なお、画像表示装置の一例として本実施の形態において説明したプロジェクター２００としては、例えば、光源が放射した白色光を、３原色成分である赤色光、青色光、緑色光に分離し、各色光ごとに各色光用の液晶ライトバルブ（光変調素子）に従って、画像データに応じた変調光に変調し、再合成したフルカラーの変調光を投映レンズを介してスクリーンに拡大投写する、いわゆる液晶３板式プロジェクター等が利用可能である。
また、プロジェクター２００は、液晶プロジェクターには限定されず、例えば、ＤＭＤ(Digital Micromirror Device)を用いたプロジェクター等であってもよい。なお、ＤＭＤは米国テキサス・インスツルメンツ社の商標である。
さらに、画像表示装置は、プロジェクターに限られず、例えば、液晶画面を有するディスプレイや通信端末等であってもよい。
【００３１】
また、画像供給装置としては、例えば、ゲーム機器や、携帯電話端末、ＤＶＤ再生装置、無線通信で接続される映像信号供給装置等であってもよく、複数の画像供給装置がプロジェクター２００と接続されてもよい。
また、プロジェクター２００の外部機器接続部２０４は、例えば、アナログＲＧＢ信号を送信する画像供給装置と接続されるインターフェイスや、ＤＶＤプレーヤやＳビデオプレーヤから出力される画像データ（Ｓ信号）を受信するインターフェイス、ビデオプレーヤやＴＶチューナから出力されるコンポジット信号を受信するインターフェイス、あるいは、専ら一般家電に利用されている音声データおよび画像データを伝送するＨＤＭＩを利用したインターフェイス等を有する構成であってもよい。
また、本実施の形態に係る書画カメラ１００は、書画カメラ１００から送信された画像データをプロジェクター２００に表示、あるいは一時停止させる要求信号をプロジェクター２００に送信する操作部１０５を備えているため、ノートＰＣ４００等の画像供給装置もプロジェクター２００への画像表示等を要求する要求信号をプロジェクター２００に送信する構成を持っていれば、プロジェクター２００は、操作部２０７として、例えば、画像信号を供給する画像供給装置や書画カメラ１００を検索するための映像検索ボタン、所望の画像供給装置あるいは書画カメラ１００を選択するためのソース選択ボタン等を含まないものであってもよい。
【符号の説明】
【００３２】
１００  書画カメラ
１０１  制御部
１０２  撮像部
１０３  メモリー部
１０４  画像出力部
１０５  操作部
２００  プロジェクター（画像表示部）
２０１  画像表示部（出力部）
２０２  カード挿入部
２０３  メモリー部
２０４  外部機器接続部
２０５  制御部
２０６  画像処理部
２０７  操作部
２０８  記憶装置
３００、３０１  ＵＳＢケーブル
４００  ノートＰＣ（画像供給装置）
４０１  制御部
４０２  画像出力部
４０３  メモリー部
４０４  操作部
【図１】
2010193167.tif 000003
【図２】
2010193167.tif 000004
【図３】
2010193167.tif 000005